(57)【要約】【課題】ごくわずかな押圧操作で第１の接点が入り、のち、明確な感触を伴う押圧操作で第２の接点が接続する、プリセンス付きのスイッチ装置を提供する。【解決手段】本発明のスイッチ装置は、可動接点２と、可動接点２上に配置される弾性体３と、押圧操作されることにより弾性体３を動作させる操作体４と、可動接点２，弾性体３および操作体４を収容する収容部１ａを備え、収容部１ａの内底部に第１固定接点１ｂ，第２固定接点１ｃおよび第３固定接点１ｄとを有するケース１とからなり、操作体４への押圧操作により弾性体３が略平行に移動し、第１固定接点１ｂおよび第２固定接点１ｃとが可動接点２を介して電気的に接触することにより第１の接点が接続し、操作体４へのさらなる押圧操作により、ドーム部３ｃが反転し舌片部２ｃが押圧され、第１固定接点１ｂ，第２固定接点１ｃおよび第３固定接点１ｄが可動接点２を介して電気的に接続し第２の接点が接続する。【選択図】図１
2013026093.tif 000002
【特許請求の範囲】
【請求項１】
可動接点と、前記可動接点上に配置される弾性体と、押圧操作されることにより前記弾性体を動作させる操作体と、前記可動接点，前記弾性体および前記操作体を収容する収容部を備えるとともに、前記可動接点と接離可能とされ、前記収容部の内底部に電気的に独立した第１固定接点，第２固定接点および第３固定接点とを有するケースとからなるスイッチ装置において、
前記可動接点は、前記弾性体を水平に戴置できる載置部と、前記載置部を前記ケースの内底部から離間させるように保持する複数の脚部と、前記第３固定接点と接離する舌片部とを備え、
前記弾性体は、前記載置部に配置される立設部と、立設部の上部にドーム部を有し、ドーム部の頂部に前記舌片部を操作する舌片操作部とを備え、
前記操作体への押圧操作により、前記載置部に配置された前記弾性体が略平行に移動するとともに、前記第１固定接点および前記第２固定接点とが前記可動接点を介して電気的に接触し、前記操作体へのさらなる押圧操作により、前記ドーム部が反転し前記舌片操作部が移動して前記舌片部を押圧操作し、前記第３固定接点と前記舌片部とが接触して前記第１固定接点，前記第２固定接点および前記第３固定接点が前記可動接点を介して電気的に接触することを特徴とするスイッチ装置。
【請求項２】
前記ケースにはガイド部が設けられ、前記弾性体が略平行に移動するときに、前記ガイド部が前記弾性体の少なくとも一部をガイドすることを特徴とする、請求項１に記載のスイッチ装置。
【請求項３】
前記ケースと前記操作体には前記操作体が上方に移動することを制限する係止部を有し、前記弾性体と前記操作体が対向するそれぞれの面の少なくとも一方には、前記操作体を反操作方向に付勢するための弾性突出部が設けられていることを特徴とする、請求項１または２に記載のスイッチ装置。
【発明の詳細な説明】
【技術分野】
【０００１】
本発明は、各種電子機器の入力手段等として用いられる押圧操作型のスイッチ装置に係り、特に、ごくわずかな押圧操作量で第１の接点が接続し、のち、明確な感触を伴う押圧操作で第２の接点が接続する、プリセンス付きのスイッチ装置に関する。
【背景技術】
【０００２】
従来より、ドーム状の可動接点を押圧操作すると、この可動接点がクリック感を伴って反転して固定接点と導通するように構成された小型のスイッチ装置が種々提案されている。
【０００３】
かかるスイッチ装置においては、通常、ケースの内底面に中央固定接点と外側固定接点が離間して配設されており、ドーム状の可動接点が、その中央部を中央固定接点と接離可能に対向させて周縁部を外側固定接点に常時接触させた状態でハウジングの内底面上に搭載されている。そして、可動接点の中央部が押圧操作されると可動接点が反転し、可動接点を介して中央固定接点と外側固定接点とが導通されるとともに、可動接点の反転動作によってクリック感が生起されるようになっている。
【０００４】
この種のスイッチ装置は電子機器の入力手段としてさまざまの用途で採用されているが、一部の用途で、スイッチ装置に触ると第１の接点が接続し、のち、スイッチ装置を押圧操作することで第２の接点が接続するスイッチ装置が求められる。以下、このような動作を行うスイッチ装置をプリセンス付きスイッチ装置と記述する。
【０００５】
プリセンス付きスイッチ装置は、自動車のセンターコンソールの各種操作スイッチや、視覚障害者向けのリモコンのスイッチ等の用途に用いられる。
このような用途では、操作者は機器の操作面の表示を認識せずに機器を操作するので、操作者が軽くスイッチに触ったときに第１の接点が接続し、触ったスイッチの名称や機能を、例えば音声で読み上げる等の方法で操作者に知らせ、操作を意図したキーであることが確認されると操作者はスイッチを押して意図した操作ができるという操作方法が有効と考えられる。
【０００６】
上記の様な操作方法を実現するために、プリセンス付きスイッチ装置では、ごくわずかな押圧操作の操作量で第１の接点が接続し、のち、明確な移動となる操作量での押圧操作で第２の接点が接続することが求められる。この様な動作を行うスイッチ装置として、例えば、特許文献１に記載されているスイッチ装置が知られている。
【０００７】
特許文献１に記載されている従来のスイッチ装置は、図１１に示すように、基板１０１上に第１接点用パターン１０２ａ，１０２ｂおよび第２接点用パターン１０３ａ，１０３ｂが形成され、それらのパターンを囲んで第１リング状ラバー１０４が基板１０１上に取り付けられ、第１リング状ラバー１０４より一体に上端が解放の第１ドーム状ラバー１０５が突設され、第１ドーム状ラバー１０５の上端に第２リング状ラバー１０６が取り付けられ、第２リング状ラバー１０６より第２ドーム状ラバー１０７が突設され、第２ドーム状ラバー１０７の天井壁より一体に操作ボタン１０８が突設される。また、第２リング状ラバー１０６の底面に第１可動接点１０９が取り付けられ、第２ドーム状ラバー１０７の天井面に第２可動接点１１０が取り付けられる。
【０００８】
外力を加えて操作ボタン１０８を押圧すると、最初に第１ドーム状ラバー１０５が折り返されて第１可動接点１０９が第１接点用パターン１０２ａ，１０２ｂに当接し、次に第２ドーム状ラバー１０７が折り返されて第２可動接点１１０が第２接点用パターン１０３ａ，１０３ｂに当接する。
これにより、操作量を大きくして２段のクリック感を識別し易くする、とされている。
【先行技術文献】
【特許文献】
【０００９】
【特許文献１】特開平８−１１１１３４号公報
【発明の概要】
【発明が解決しようとする課題】
【００１０】
上記のように、特許文献１に記載されている従来のスイッチ装置では、最初の押圧操作で第１の接点が接続し、のち、さらに押圧操作することで第２の接点が接続する、という２段階のスイッチ動作が可能となる。しかしながら、従来のスイッチ装置では、押圧操作時にドーム状のラバーが折り返されて可動接点が固定接点に当接するものとなっており、第１の接点が接続するためには大きく押圧する必要があり、かつ、大きな操作力が必要であった。
【００１１】
これに対し、ドーム状のラバーの厚さを薄くする、または、ドーム状のラバーの材質を柔らかくすることにより、ごくわずかな押圧操作で第１の接点が軽い操作力で接続するようにすることが考えられるが、この場合にはドーム状のラバーの強度が低下し、スイッチ装置が繰り返し押圧操作されると、ドーム状のラバーが繰り返し折り返され、ラバーが折り返し部分で破損する恐れがあった。
【００１２】
本発明は、このような従来技術の実情に鑑みてなされたもので、その目的は、ごくわずかな押圧操作で第１の接点が接続し、のち、明確な感触を伴う押圧操作で第２の接点が接続する、プリセンス付きのスイッチ装置を提供することにある。
【課題を解決するための手段】
【００１３】
この課題を解決するために、本発明の請求項１によるスイッチ装置では、可動接点と、前記可動接点上に配置される弾性体と、押圧操作されることにより前記弾性体を動作させる操作体と、前記可動接点，前記弾性体および前記操作体を収容する収容部を備えるとともに、前記可動接点と接離可能とされ、前記収容部の内底部に電気的に独立した第１固定接点，第２固定接点および第３固定接点とを有するケースとからなるスイッチ装置において、
前記可動接点は、前記弾性体を水平に戴置できる載置部と、前記載置部を前記ケースの内底部から離間させるように保持する複数の脚部と、前記第３固定接点と接離する舌片部とを備え、
前記弾性体は、前記載置部に配置される立設部と、立設部の上部にドーム部を有し、ドーム部の頂部に前記舌片部を操作する舌片操作部とを備え、
前記操作体への押圧操作により、前記載置部に配置された前記弾性体が略平行に移動するとともに、前記第１固定接点および前記第２固定接点とが前記可動接点を介して電気的に接触し、前記操作体へのさらなる押圧操作により、前記ドーム部が反転し前記舌片操作部が移動して前記舌片部を押圧操作し、前記第３固定接点と前記舌片部とが接触して前記第１固定接点，前記第２固定接点および前記第３固定接点が前記可動接点を介して電気的に接触すること、を特徴とする。
【００１４】
この構成によれば、操作体が押圧操作されていないときは可動接点の載置部は複数の脚部によりケースの内底部から離間しており、可動接点は第１固定接点，第２固定接点および第３固定接点のいずれとも接触していないが、操作体がわずかに押圧操作されると弾性体が下方に移動させられ可動接点も下方に移動させられる。これにより可動接点の載置部が第１固定接点および第２固定接点に接触し、第１固定接点と第２固定接点が可動接点を介して電気的に接続され、第１固定接点と第２固定接点で構成される第１の接点が接続する。操作体がさらに押圧操作されると、弾性体のドーム部が反転しクリック感が生起されるとともに、操作体および弾性体の舌片操作部が下方に大きく移動し、舌片操作部が可動接点の舌片部を押し下げることにより、可動接点の載置部が第１固定接点と第２固定接点に接触したまま、舌片部が第３固定接点と接触し、電気的に接続されている第１固定接点，第２固定接点と、第３固定接点で構成される第２の接点が接続する。これにより、ごくわずかな押圧操作で第１の接点が接続し、のち、明確な感触を伴う押圧操作で第２の接点が接続する、プリセンス付きのスイッチ装置を構成することが可能となる。
【００１５】
また、本発明の請求項２によるスイッチ装置では、前記ケースにはガイド部が設けられ、前記弾性体が略平行に移動するときに、前記ガイド部が前記弾性体の少なくとも一部をガイドすること、を特徴とする。
【００１６】
この構成により、操作体がわずかに押圧操作され弾性体が下方に移動させられるときに弾性体が安定して平行に移動できるので、第１の接点の確実な接続動作が可能となる。
【００１７】
また、本発明の請求項３によるスイッチ装置では、前記ケースと前記操作体には前記操作体が上方に移動することを制限する係止部を有し、前記弾性体と前記操作体が対向するそれぞれの面の少なくとも一方には、前記操作体を反操作方向に付勢するための弾性突出部が設けられていること、を特徴とする。
【００１８】
この構成により、操作体が反押圧方向に抜け出すことを防止することができるとともに、ケースの係止部と操作体の係止部に隙間が生じた場合でも、弾性体と操作体の少なくとも一方に設けられた弾性突出部が操作体の係止部がケースの係止部に係合するまで反押圧方向に付勢するので、押圧していないときに操作体が不安定になることが回避でき、安定した押圧操作が可能となる。
【発明の効果】
【００１９】
本発明によれば、ごくわずかな押圧操作で第１の接点が接続し、のち、明確な感触を伴う押圧操作で第２の接点が接続する、プリセンス付きのスイッチ装置を構成することが可能となる。
【図面の簡単な説明】
【００２０】
【図１】本発明の実施の形態に係るスイッチ装置の構成を示す分解斜視図である。
【図２】本発明の実施の形態に係るスイッチ装置で、（ａ）は平面図、（ｂ）は図２の（ａ）のＡ−Ａ断面図である。
【図３】本発明の実施の形態に係るスイッチ装置の図２の（ａ）のＡ−Ａ位置の断面図で、（ａ）は第１の接点が接続した状態を示す断面図で、（ｂ）は第２の接点が接続した状態を示す断面図である。
【図４】本発明の実施の形態の変形例に係るスイッチ装置の構造を示す、図２の（ａ）のＡ−Ａ位置の断面図である。
【図５】特許文献１に示される従来例のスイッチ装置の構成図である。
【発明を実施するための形態】
【００２１】
以下、図１を参照に、本発明の実施の形態について説明する。
【００２２】
図１は、本発明の実施の形態に係るスイッチ装置の構成を示す分解斜視図である。スイッチ装置は図１に示すように、ケース１，可動接点２，弾性体３および操作体４により構成される。
【００２３】
ケース１は成形材等で形成された上方が開放された略箱状の部品で、開放された中空部は可動接点２，弾性体３および操作体４を収容する収容部１ａとなる。また、収容部１ａの内底面の略中央部に第３固定接点１ｄを有し、内底面の中央部と内側面の略中間位置に、第３固定接点１ｄを挟むように第１固定接点１ｂと第２固定接点１ｃが設けられている。さらに、第１固定接点１ｂと第２固定接点１ｃの外側に内底面からわずかに突出する略リング状の座面部１ｆを有する。
【００２４】
第１固定接点１ｂ，第２固定接点１ｃおよび第３固定接点１ｄはそれぞれケース１の内部にて延出してケース１の外部に突出し、それぞれ端子部１ｇとなる。
【００２５】
可動接点２は、ステンレス等の金属材料を略円板状に形成した部品で、中央に円板状の舌片部２ｃを有し、舌片部２ｃを取り囲むようにリング状の載置部２ａを有し、舌片部２ｃと載置部２ａは略方形の接続部２ｄで接続されている。載置部２ａのさらに外側にはリング状の外周部２ｅを有し、外周部２ｅと載置部２ａは複数の脚部２ｂで接続されている。
【００２６】
載置部２ａには第１固定接点１ｂおよび第２固定接点１ｃと対向する部分にそれぞれ複数の接触用小突起を有し、また、舌片部の第３固定接点１ｄと対向する部分にも複数の接触用小突起を有する。なお、舌片部２ｃと載置部２ａを接続する接続部２ｄは舌片部２ｃが第３固定接点１ｄから離間する方向に曲げられている。
【００２７】
弾性体３はゴム等の弾性に富む材料を形成した部品で、下面側は略円筒状の立設部３ａで、立設部３ａの上方に中空の略円錐形状のドーム部３ｃが設けられ、ドーム部の上方は円板状の天板部３ｄとなる。ドーム部３ｃの中空部分に露出する天板部３ｄの下面には下方に突出する略円柱状の舌片操作部３ｂを有する。
【００２８】
操作体４は成形材等で形成された、下方が開放された略箱状の部品で、開放された中空部の天面から下方に略円柱状の押圧部４ａが突出して設けられている。
【００２９】
次に、図２を参照に、本発明の実施の形態に係るスイッチ装置の組み立て構成を説明する。図２の（ａ）は本発明の実施の形態に係るスイッチ装置の平面図で、図２の（ｂ）は図２の（ａ）のＡ−Ａ断面図である。
【００３０】
本スイッチ装置は、ケース１の収容部１ａの内底面の座面部１ｆに可動接点２を置設し、可動接点２の載置部２ａに立設部３ａが当接するように弾性体３を載置し、ケース１の収容部１ａの弾性体３の上方に操作体４を挿入することにより組み立てられる。
【００３１】
可動接点２は外周部２ｅがケース１の内底面からわずかに突出した座面部１ｆと当接しており載置部２ａは複数の脚部２ｂにより外周部２ｅに接続されているので、載置部２ａは第１固定接点１ｂおよび第２固定接点１ｃとは離間している。また載置部２ａに接続された舌片部２ｃも第３固定接点１ｄとは離間している。
【００３２】
操作体４はケース１の収容部１ａに挿入されており上下方向に移動可能であるので、可動接点２の載置部２ａに載置された弾性体３の天板部３ｄと操作体４の押圧部４ａの下面が当接する位置で操作体４は停止している。
【００３３】
次に、本スイッチ装置を押圧操作したときの挙動を、図２の（ｂ）および図３の（ａ），（ｂ）を参照に、説明する。
【００３４】
図３は本発明の実施の形態に係るスイッチ装置の接点の状態を説明する図２の（ａ）のＡ−Ａ位置の断面図で、図３の（ａ）は操作体４がわずかに押圧操作され第１の接点が接続した状態を示す断面図で、図３の（ｂ）は操作体４がさらに押圧操作され第２の接点が接続した状態を示す断面図である。
【００３５】
図２の（ｂ）は押圧操作前の状態で、第１の接点を構成する第１固定接点１ｂおよび第２固定接点１ｃと載置部２ａは離間しており、第１固定接点１ｂと第２固定接点１ｃは電気的に接続されていないので、第１の接点は接続していない。
【００３６】
操作体４がわずかに押圧操作されると、図３の（ａ）に示すように、操作体４はケース１の収容部１ａ内を下方に移動し押圧部４ａが弾性体３の天板部３ｄを押し下げるので、弾性体３の立設部３ａが可動接点２の載置部２ａを下方に押し下げる。このとき可動接点２の脚部２ｂは弾性変形し載置部２ａは下方に移動し、載置部２ａは第１固定接点１ｂおよび第２固定接点１ｃと接触する。これにより第１固定接点１ｂと第２固定接点１ｃは可動接点２により電気的に接続され、第１固定接点１ｂと第２固定接点１ｃで構成される第１の接点が接続する。
【００３７】
ところで、可動接点２の脚部２ｂは容易に弾性変形可能な形状であるので、操作体４がわずかに押圧されると、図３の（ａ）に示すように、載置部２ａは容易に下方に移動し、載置部２ａは第１固定接点１ｂおよび第２固定接点１ｃと接触するので、わずかな操作力で第１の接点を接続することができる。
【００３８】
また、弾性体３の立設部３ａの外径はケース１のガイド部１ｅにガイドされているので、弾性体３は傾斜せずに平行に移動することができ、安定した動作で第１の接点を接続することができる。加えて、第１の接点が接続するときには弾性体３のドーム部３ｃの反転動作を伴わないので、ノンクリックでのプリセンス動作が実現できる。
【００３９】
すなわち、本発明の実施の形態に係るスイッチ装置では、ケース１にはガイド部１ｅが設けられ、弾性体３が略平行に移動するときに、ガイド部１ｅが弾性体３の少なくとも一部をガイドするガイド部１ｅとなっており、この構成により、操作体４がわずかに押圧操作され弾性体３が下方に移動させられるときに弾性体３が安定して平行に移動できるので、第１の接点の確実な接続動作が可能となる。
【００４０】
操作体４をさらに押圧操作すると、図３の（ｂ）に示すように、操作体４はケース１の収容部１ａ内をさらに下方に移動し、押圧部４ａが天板部３ｄをさらに押し下げ、ついにはドーム部３ｃが反転動作する。ドーム部３ｃの反転動作に伴いクリック感が生起されるとともに、載置部２ａが第１固定接点１ｂと第２固定接点１ｃに接触したまま、舌片操作部３ｂが下方に大きく移動し舌片部２ｃを押し下げ、舌片部２ｃと第３固定接点１ｄが接触する。これにより第３固定接点１ｄと第１固定接点１ｂおよび第２固定接点１ｃは可動接点２を介して電気的に接続され、電気的に接続されている第１固定接点１ｂ，第２固定接点１ｃと、第３固定接点１ｄで構成される第２の接点が接続する。
【００４１】
以上により、操作体４のさらなる押圧操作により、ドーム部３ｃの反転動作に伴うクリック感と舌片操作部３ｂの下方への大きな移動により、明確な感触を伴って第２の接点が接続する。
【００４２】
上記のように、本発明の実施の形態に係るスイッチ装置は、可動接点２と、可動接点２上に配置される弾性体３と、押圧操作されることにより弾性体３を動作させる操作体４と、可動接点２，弾性体３および操作体４を収容する収容部１ａを備えるとともに、可動接点２と接離可能とされ、収容部の内底部に電気的に独立した第１固定接点１ｂ，第２固定接点１ｃおよび第３固定接点１ｄとを有するケース１と、からなり、
可動接点２は、弾性体３を水平に戴置できる載置部２ａと、載置部２ａをケース１の内底部から離間させるように保持する複数の脚部２ｂと、第３固定接点１ｄと接離する舌片部２ｃとを備え、
弾性体３は、載置部２ａに配置される立設部３ａと、立設部３ａの上部にドーム部３ｃを有し、ドーム部３ｃの頂部に舌片部２ｃを操作する舌片操作部３ｂとを備え、
操作体４への押圧操作により、載置部２ａに配置された弾性体３が略平行に移動するとともに、第１固定接点１ｂおよび第２固定接点１ｃとが可動接点２を介して電気的に接触し、操作体４へのさらなる押圧操作により、ドーム部３ｃが反転し舌片操作部３ｂが移動して舌片部２ｃを押圧操作し、第３固定接点１ｄと舌片部２ｃとが接触して第１固定接点１ｂ，第２固定接点１ｃおよび第３固定接点１ｄが可動接点２を介して電気的に接触する構成となっている。
【００４３】
この構成によれば、操作体４が押圧操作されていないときは可動接点２の載置部２ａは複数の脚部２ｂによりケース１の内底部から離間しており、可動接点２は第１固定接点１ｂ，第２固定接点１ｃおよび第３固定接点１ｄのいずれとも接触していないが、操作体４がわずかに押圧操作されると弾性体３が下方に移動させられ可動接点２も下方に移動させられる。これにより可動接点２の載置部２ａが第１固定接点１ｂおよび第２固定接点１ｃに接触し、第１固定接点１ｂと第２固定接点１ｃが可動接点２を介して電気的に接続され、第１固定接点１ｂと第２固定接点１ｃで構成される第１の接点が接続する。操作体がさらに押圧操作されると、弾性体３のドーム部３ｃが反転しクリック感が生起されるとともに、操作体４および弾性体３の舌片操作部３ｂが下方に大きく移動し、舌片操作部３ｂが可動接点２の舌片部２ｃを押し下げることにより、可動接点２の載置部２ａが第１固定接点１ｂと第２固定接点１ｃに接触したまま、舌片部２ｃが第３固定接点１ｄと接触し、電気的に接続されている第１固定接点１ｂ，第２固定接点１ｃと、第３固定接点１ｄで構成される第２の接点が入る。
【００４４】
これにより、本発明の実施の形態によれば、ごくわずかな押圧操作で第１の接点が接続し、のち、明確な感触を伴う押圧操作で第２の接点が接続する、プリセンス付きのスイッチ装置を構成することが可能となる。
【００４５】
＜変形例＞
以下、本発明の実施の形態の変形例を図４を参照して説明する。なお、実施の形態と同一の構成については、同一符号を付して詳細な説明は省略する。
【００４６】
図４は本発明の実施の形態の変形例に係るスイッチ装置の構造を示す図２の（ａ）のＡ−Ａ位置の断面図である。
【００４７】
本発明の実施の形態の変形例に係るスイッチ装置では、図４に示すように、ケース１の収容部１ａの上端付近に内側面から突出する係止部１ｈが対向する２つの内側面に設けられ、また、操作体４の側面の下端付近に側面から突出する係合部４ｂが対向する２つの側面に設けられている。
【００４８】
また、弾性体３の天板部３ｄの上面には略円筒状の弾性突出部３ｅが設けられており、天板部３ｄと対向する操作体４の押圧部４ａには弾性突出部３ｅが挿入される窪み部４ｃが設けられている。このとき窪み部４ｃの深さは弾性突出部３ｅの高さよりわずかに浅く設定されている。
【００４９】
操作体４はケース１の収容部１ａに挿入されており上下方向に移動可能であるが、操作体４が上方に移動すると、やがてケース１の係止部１ｈと操作体４の係合部４ｂが係合し、操作体４はそれ以上は上方に移動できない。これにより操作体４がケース１から抜け出すことを回避できる。
【００５０】
また、上記の構造で、ケース１に可動接点２，弾性体３および操作体４を組み込んだとき、弾性突出部３ｅがわずかに弾性変形しながら弾性突出部３ｅの上面が窪み部４ｃの内底面と当接するように弾性突出部３ｅの高さを設定することにより、操作体４は弾性体３の弾性突出部３ｅにより上方に付勢され、係合部４ｂがケースの係止部１ｈと当接して停止する。
【００５１】
本発明に係るスイッチ装置では、ケース１に可動接点２，弾性体３および操作体４を組み込んだとき、ケース１の係止部１ｈと操作体４の係合部４ｂはちょうど係合するか、わずかに隙間となるように各部品の高さを設定しなければならない。これは、係止部１ｈと操作体４に隙間がないと、操作体４が押し下げられながら係止部１ｈと操作体４の係合部４ｂが係合するので、可動接点２が弾性変形して押し下げられ、最悪の場合には可動接点２が第１固定接点１ｂおよび第２固定接点１ｃと接触し、スイッチ装置が誤動作する虞があるためである。
従って、係止部１ｈと係合部４ｂには隙間が発生することが避けられない。
【００５２】
このため、弾性突出部３ｅにより操作体４を上方へ付勢する構造がないと、係止部１ｈと係合部４ｂに隙間があるため、スイッチ装置が振動させられた場合等には操作体４が上下にがたつき、安定した操作の妨げとなる。
【００５３】
これに対し、本発明の実施の形態の変形例に係るスイッチ装置では弾性突出部３ｅにより操作体４を上方へ付勢しているので、操作体４は上方への付勢力を受け、係合部４ｂが係止部１ｈに押しつけられながら停止しているので、スイッチ装置が振動させられた場合でもがたつき等が発生せず、安定した動作が可能となる。
【００５４】
以上により、本発明の実施の形態の変形例に係るスイッチ装置では、ケース１と操作体４には操作体４が上方に移動することを制限する係止部１ｈと係合部４ｂをそれぞれ有し、弾性体３と操作体４が対向するそれぞれの面のうち弾性体３の上面に、操作体４を反操作方向に付勢するための弾性突出部３ｅを設けたので、
操作体４が反押圧方向に抜け出すことを防止することができるとともに、ケース１の係止部１ｈと操作体の係止部に隙間が生じた場合でも、弾性体と操作体の少なくとも一方に設けられた弾性突出部が操作体の係止部がケースの係止部に係合するまで反押圧方向に付勢するので、押圧操作されていないときに操作体が不安定になることが回避でき、安定した押圧操作が可能となる。
【００５５】
なお、上記の実施の形態の変形例では弾性突出部３ｅを弾性体３の上面に設けたが、弾性突出部を操作体４に設けても、または弾性体３と操作体４の両方に設けても同様の効果が得られる。
さらには、弾性体３と操作体４の間に、弾性体３と操作体４を離反方向に付勢する付勢部材を別部品にて設けても本発明の実施の形態の変形例と同等の効果が得られる。
【符号の説明】
【００５６】
１      ケース
１ａ    収容部
１ｂ    第１固定接点
１ｃ    第２固定接点
１ｄ    第３固定接点
１ｅ    ガイド部
１ｆ    座面部
１ｇ    端子部
１ｈ    係止部
２      可動接点
２ａ    載置部
２ｂ    脚部
２ｃ    舌片部
２ｄ    接続部
２ｅ    外周部
３      弾性体
３ａ    立設部
３ｂ    舌片操作部
３ｃ    ドーム部
３ｄ    天板部
３ｅ    弾性突出部
４      操作体
４ａ    押圧部
４ｂ    係合部
４ｃ    窪み部
【図１】
2013026093.tif 000003
【図２】
2013026093.tif 000004
【図３】
2013026093.tif 000005
【図４】
2013026093.tif 000006
【図５】
2013026093.tif 000007